(57)【要約】      （修正有）【課題】連続してラミネーターに送ることにより、使用者の操作時間を節約する多数ラミネート品を連続ラミネートする輸送機の提供。【解決手段】多数ラミネート品を連続ラミネートする輸送機は、輸送ベルト２３上に複数の弾性挟持片２４を平行に設置し、多数のラミネートを必要とするラミネート品をラミネートフィルムに挟んだ後、弾性挟持片で定位する。輸送ベルトが緩やかに前進して弾性挟持片に挟持されたラミネート品を逐一ラミネーターに送ってラミネートすることにより、ラミネートにかかる時間を節約する。【選択図】図１
0003131705.tif 000002
【実用新案登録請求の範囲】
【請求項１】
多数ラミネート品を連続ラミネートする輸送機において、
輸送機に必要なすべての部品を載せる機台と、
多数のラミネートを必要とする物品を逐一ラミネーターに送ってラミネートする輸送装置を含むことを特徴とする多数ラミネート品を連続ラミネートする輸送機。
【請求項２】
請求項１記載の多数ラミネート品を連続ラミネートする輸送機において、前記輸送装置は、機台のモーター孔内にモーターを設置し、モーターが回転軸ユニットを動かし、回転軸ユニットが輸送ベルトを動かすことを特徴とする多数ラミネート品を連続ラミネートする輸送機。
【請求項３】
請求項２記載の多数ラミネート品を連続ラミネートする輸送機において、前記輸送ベルトは、そこに多数のラミネートフィルムを挟持する弾性挟持片を平行に設置することを特徴とする多数ラミネート品を連続ラミネートする輸送機。
【請求項４】
請求項１記載の多数ラミネート品を連続ラミネートする輸送機において、前記輸送装置は、その前進方向に更にフィルムガイド板を設置し、そのフィルムガイド板は機台に設置して多数枚のラミネートフィルムを載せることを特徴とする多数ラミネート品を連続ラミネートする輸送機。
【請求項５】
請求項４記載の多数ラミネート品を連続ラミネートする輸送機において、前記フィルムガイド板は、前端に引込装置を設置し、その引込装置は機台のモーター孔に設置するモーター、及びモーターによって動くローラーユニットを含み、フィルムガイド板上のラミネートフィルムがローラーを経てラミネーター入口に導くことを特徴とする多数ラミネート品を連続ラミネートする輸送機。
【請求項６】
請求項５記載の多数ラミネート品を連続ラミネートする輸送機において、前記引込装置は、その前端に更にセンサー装置を設置し、そのセンサー装置はエレクトリックアイがラミネートフィルムの通過をセンサーして輸送モーターを停止させる信号を提供し、続いてラミネートフィルムが完全にエレクトリックアイを通過すると、更に別の信号を送って輸送モーターを動かし、一回に一枚のラミネートフィルムをラミネーターに送ることを確実にすることを特徴とする多数ラミネート品を連続ラミネートする輸送機。
【考案の詳細な説明】
【技術分野】
【０００１】
本考案は、ラミネーターに関し、特に多数ラミネート品を連続ラミネートする輸送機に関するもので、多数のラミネート品を、輸送機を経て逐一ラミネーターに送ってラミネートさせ、使用者が作業にかかる時間を節約するものである。
【背景技術】
【０００２】
公知のラミネーター(laminator)は、写真や証明書等重要書類のラミネート品(laminated product)をラミネートフィルム(film)に被せた後、ラミネーターの発熱部品(heating element)の熱をローラー(pressing roller)に放射伝導し、ラミネートフィルム内のラミネート品を挟み、高熱ローラーで軽く加圧すると、ラミネートフィルムが溶解してラミネート品を保護する。
【０００３】
伝統のラミネーターは予熱時間が長すぎること、二つはローラーの温度は平均しないことである。そのうち、ローラーの温度の不均衡はラミネート品の品質を下げ、また予熱時間が五分以上かかるので、使用者が待ちきれない。
【考案の開示】
【考案が解決しようとする課題】
【０００４】
本考案の主な目的は、多数ラミネート品を連続ラミネートする輸送機を提供し、多数のラミネート品を先ず輸送機の挟持片上に定位し、ラミネート品が自動的にラミネーターへ進み、逐一ラミネートすることにより、使用者が多数のラミネートにかかる時間を節約する。
【０００５】
本考案の次の目的は、多数ラミネート品を連続ラミネートする輸送機を提供し、先ず輸送機の挟持片上に多数のラミネート品を定位してラミネートを行い、原則として使用者の監視を必要としない。
【０００６】
上述の目的のため、公知の問題を解決し、本考案は多数ラミネート品を連続ラミネートする輸送機を提供する。輸送ベルト上に複数の弾性挟持片を平行に設置し、そこに多数のラミネートを必要する物品をラミネートフィルムに挟み、弾性挟持片で定位する。輸送ベルトがゆっくりと前進して弾性挟持片に挟持されたラミネート品が逐一ラミネーターに送られてラミネートされ、使用者が作業にかかる時間を節約する。
【課題を解決するための手段】
【０００７】
請求項１の考案は、多数ラミネート品を連続ラミネートする輸送機において、
輸送機に必要なすべての部品を載せる機台と、
多数のラミネートを必要とする物品を逐一ラミネーターに送ってラミネートする輸送装置を含むことを特徴とする多数ラミネート品を連続ラミネートする輸送機としている。
請求項２の考案は、請求項１記載の多数ラミネート品を連続ラミネートする輸送機において、前記輸送装置は、機台のモーター孔内にモーターを設置し、モーターが回転軸ユニットを動かし、回転軸ユニットが輸送ベルトを動かすことを特徴とする多数ラミネート品を連続ラミネートする輸送機としている。
請求項３の考案は、請求項２記載の多数ラミネート品を連続ラミネートする輸送機において、前記輸送ベルトは、そこに多数のラミネートフィルムを挟持する弾性挟持片を平行に設置することを特徴とする多数ラミネート品を連続ラミネートする輸送機としている。
請求項４の考案は、請求項１記載の多数ラミネート品を連続ラミネートする輸送機において、前記輸送装置は、その前進方向に更にフィルムガイド板を設置し、そのフィルムガイド板は機台に設置して多数枚のラミネートフィルムを載せることを特徴とする多数ラミネート品を連続ラミネートする輸送機としている。
請求項５の考案は、請求項４記載の多数ラミネート品を連続ラミネートする輸送機において、前記フィルムガイド板は、前端に引込装置を設置し、その引込装置は機台のモーター孔に設置するモーター、及びモーターによって動くローラーユニットを含み、フィルムガイド板上のラミネートフィルムがローラーを経てラミネーター入口に導くことを特徴とする多数ラミネート品を連続ラミネートする輸送機としている。
請求項６の考案は、請求項５記載の多数ラミネート品を連続ラミネートする輸送機において、前記引込装置は、その前端に更にセンサー装置を設置し、そのセンサー装置はエレクトリックアイがラミネートフィルムの通過をセンサーして輸送モーターを停止させる信号を提供し、続いてラミネートフィルムが完全にエレクトリックアイを通過すると、更に別の信号を送って輸送モーターを動かし、一回に一枚のラミネートフィルムをラミネーターに送ることを確実にすることを特徴とする多数ラミネート品を連続ラミネートする輸送機としている。
【考案の効果】
【０００８】
本考案の多数ラミネート品を連続ラミネートする輸送機は、連続してラミネーターに送ることにより、使用者の操作時間を節約するという利点がある。
【考案を実施するための最良の形態】
【０００９】
図１は、本考案が提供する多数のラミネート品を連続ラミネートする輸送機の分解図であり、図２は多数のラミネート品をラミネートフィルムに被せた後、挟持片で輸送機に定位し、逐一ラミネーターに送る実施概略図である。本考案の輸送機の動力元は独立した電源コード（図未提示）、もしくは他動性の電気プラグ（図未提示）をラミネーター７に差し込み、対応する連接ポート(図未提示)を電気連接した後輸送機に必要な電源を提供する。
【００１０】
輸送機は以下を含む。
機台１は、輸送機に必要なすべての部品を載せるものである。
輸送装置は、予め設置したモーター孔１１内に輸送モーター２１を設置し、輸送モーター２１によって回転軸ユニット２２が駆動し、回転軸ユニット２２が輸送ベルト２３を動かす。そのうち、輸送ベルト２３上にはラミネートフィルムを挟む弾性挟持片２４が多数平行に設置される。
フィルムガイド板３は、機台１の輸送装置の前進方向に設置して多数枚のフィルムを載せる。
引込装置は、フィルムガイド板３前端に位置し、機台のモーター孔１２に設置するモーター４１、及びモーターによって動くローラーユニット４２を含み、フィルムガイド板３上のフィルムがローラーユニット４２を経てラミネーター７に送られてラミネートする。
センサー装置は、引込装置の前端に位置し、エレクトリックアイ５がラミネートフィルムの通過をセンサーして輸送装置の輸送モーター２１を停止させる信号を提供し、フィルムが完全にエレクトリックアイを通過すると、別の信号を送って輸送モーター２１を継続動作させ、一回に一枚のフィルムがラミネーター７を通過してラミネートするのを確実にする。
【００１１】
具体的に実施する時、多数枚のラミネートフィルム６を輸送装置の弾性挟持片２４上に挟み、ボタンを押して輸送モーター２１と引込モーター４１を同時に動かす。輸送モーター２１がラミネートフィルム６をゆっくりと前進させ、一枚目のラミネートフィルムがローラーユニット４２に引き込まれてラミネーター７入口に進んだ時、エレクトリックアイがラミネートフィルム６の通過をセンサーし、その時輸送モーター２１が停止する。そして一枚目のラミネートフィルムが完全にエレクトリックアイ５を通過すると、再び動きだし、二枚目のラミネートフィルムを前述と同じ方法でラミネートする。このようにして多数のラミネート品を逐一ラミネートし、公知の使用者が全工程を監視して一部が終わると、次のラミネート品を送る操作時間を節約する。
【図面の簡単な説明】
【００１２】
【図１】本考案の輸送機の分解立体図である。
【図２】多数のラミネート品をラミネートフィルムに挟んだ後、挟持片で輸送機に定位し、逐一ラミネーターに送る実施概略図である。
【符号の説明】
【００１３】
１    機台
１１  モーター孔
１２  モーター孔
２１  輸送モーター
２２  回転軸ユニット
２３  輸送ベルト
２４  弾性挟持片
３    フィルムガイド板
４１  引込モーター
４２  ローラーユニット
５    エレクトリックアイ
６    ラミネートフィルム
７    ラミネーター
【図１】
0003131705.tif 000003
【図２】
0003131705.tif 000004